(57)【要約】【課題】シンクを有すると共に左右の側板間のシンク前方に幕板が架設されたキッチンキャビネットにおいて、下方に突出するシンクの一方の側部とこの側部に対向する一方の側板との間の所定幅の空間を含む上下方向に細長い空間に対し、引き出しに収納された高さの高い物品の出し入れを可能にしつつ幕板の剛性を良好に維持する。【解決手段】金属製の幕板３０は、シンク５ａの前方で左右に延びる面状の垂直部３１と、この垂直部３１の左側の端部からシンク５ａの左側の側部に沿うように後方に延びる垂直面状の後方延設部３２と、この後方延設部３２の後部上端からシンク５ａの左側の側部とこの側部に対向する左側の側版１１との間に形成された空間Ｓの上部を横断し、前記側板１１方向に延びる水平面状の横方向延設部３３とを有している。【選択図】図２
2010154990.tif 000002
【特許請求の範囲】
【請求項１】
左右の側板と、該側板間の上部前面に架設された幕板と、該幕板の下方で左右の側板間に前後方向にスライド自在に支持された引き出しと、該側板上に載置されるシンクが設けられたワークトップとを有し、該ワークトップにおけるシンクの一方の側部と該側部に対向する一方の側板との間に所定幅の空間が設けられたキッチンキャビネットであって、
前記幕板は、前記空間と反対側の端部が他方の側板に取り付けられて前記シンクの前方で左右に延びると共に、
前記空間側の端部には、該幕板を前記一方の側板に取り付けるための幕板取付部材が設けられており、かつ、
該幕板取付部材は、前記幕板の端部から前記シンクの一方の側部に沿うように後方に延びる後方延設部と、
該後方延設部の後部上端から前記空間の上部を横断して前記一方の側板方向に延びる横方向延設部とを有し、
該横方向延設部の先端が、前記一方の側板に取り付けられていることを特徴とするキッチンキャビネット。
【請求項２】
前記請求項１に記載のキッチンキャビネットにおいて、
前記空間の上部にワークトップの下面を支持する補強桟が備えられていると共に、
前記幕板取付部材の横方向延設部は、該補強桟に結合されていることを特徴とするキッチンキャビネット。
【請求項３】
前記請求項１または請求項２に記載のキッチンキャビネットにおいて、
前記幕板取付部材の後方延設部は、垂直面状とされていることを特徴とするキッチンキャビネット。
【請求項４】
前記請求項１から請求項３のいずれか１項に記載のキッチンキャビネットにおいて、
前記引き出しは前板を備えていると共に、
前記側板間の上部前面には、前記前板の後面に当接する戸当たり桟が架設されており、かつ、
前記幕板の上端縁は、該戸当たり桟に結合されていることを特徴とするキッチンキャビネット。
【請求項５】
前記請求項１から請求項４のいずれか１項に記載のキッチンキャビネットにおいて、
前記幕板と幕板取付部材とは、金属製の板材を折曲加工することにより一体に形成されていることを特徴とするキッチンキャビネット。
【発明の詳細な説明】
【技術分野】
【０００１】
本発明は、シンクを有するキッチンキャビネットに関し、台所用家具の技術分野に属する。
【背景技術】
【０００２】
シンクが設けられたワークトップを有するキッチンキャビネットでは、内部空間にシンクが突出するため、このシンクの一方の側部とこの側部に対向する一方の側板との間に幅の狭い空間が形成されることがある。この狭い空間は、ともすればデッドスペースになりがちであるが、これを有効に使用しようとする要望がある。そこで、前記キャビネットの幅寸法を前述した狭い空間分だけ減らし、代わりに、上下方向に細長い収納空間を有する別のキャビネットを並設し、この別のキャビネットに、高さの高い物品を収納することがある。また、シンクの側方に中仕切り板を設け、この中仕切り板と側板との間の空間に、高さの高い物品を収納することがある。しかしながら、これらの場合には別のキャビネットあるいは中仕切り板が余分に必要であるので、コスト面で問題がある。
【０００３】
そして、別のキャビネットを並設したり中仕切り板を設けたりしないものとして、例えば特許文献１には、キャビネット内部において、シンクの側方の幅の狭い空間を含む上下方向に細長い空間を、幅の狭い空間部分に相当する上方部分は片開きの小扉により開閉し、下方部分は前後方向にスライド自在な引き出しの前板により開閉する構成が開示されている。
【０００４】
【特許文献１】特開２００６−２９６７５９号公報
【発明の開示】
【発明が解決しようとする課題】
【０００５】
ところで、キャビネット内部の上方部分を正面視で隠す等の目的のため、キャビネットの左右の側板間の上部前面に、幕板を架設することがある。そうすると、引き出しに収納される物品は、収納状態で幕板に干渉しない高さのものに限定される。一方、高さの高い物品の出し入れを可能に、幅の狭い空間側の幕板部分を切除すると、幕板の剛性が低下し、正面からの荷重を受けて変形するおそれがある。
【０００６】
そこで、本発明は、シンクを有すると共に左右の側板間のシンク前方に幕板が架設されたキッチンキャビネットにおいて、下方に突出するシンクの一方の側部とこの側部に対向する一方の側板との間の所定幅の空間を含む上下方向に細長い空間に対し、引き出しに収納された高さの高い物品の出し入れを可能にしつつ幕板の剛性を良好に維持することを課題とする。
【課題を解決するための手段】
【０００７】
前記課題を解決するため、本発明は次のように構成したことを特徴とする。
【０００８】
まず、請求項１に記載の発明は、左右の側板と、該側板間の上部前面に架設された幕板と、該幕板の下方で左右の側板間に前後方向にスライド自在に支持された引き出しと、該側板上に載置されるシンクが設けられたワークトップとを有し、該ワークトップにおけるシンクの一方の側部と該側部に対向する一方の側板との間に所定幅の空間が設けられたキッチンキャビネットであって、前記幕板は、前記空間と反対側の端部が他方の側板に取り付けられて前記シンクの前方で左右に延びると共に、前記空間側の端部には、該幕板を前記一方の側板に取り付けるための幕板取付部材が設けられており、かつ、該幕板取付部材は、前記幕板の端部から前記シンクの一方の側部に沿うように後方に延びる後方延設部と、該後方延設部の後部上端から前記空間の上部を横断して前記一方の側板方向に延びる横方向延設部とを有し、該横方向延設部の先端が、前記一方の側板に取り付けられていることを特徴とする。
【０００９】
また、請求項２に記載の発明は、前記請求項１に記載のキッチンキャビネットにおいて、前記空間の上部にワークトップの下面を支持する補強桟が備えられていると共に、前記幕板取付部材の横方向延設部は、該補強桟に結合されていることを特徴とする。
【００１０】
また、請求項３に記載の発明は、前記請求項１または請求項２に記載のキッチンキャビネットにおいて、前記幕板取付部材の後方延設部は、垂直面状とされていることを特徴とする。
【００１１】
また、請求項４に記載の発明は、前記請求項１から請求項３のいずれか１項に記載のキッチンキャビネットにおいて、前記引き出しは前板を備えていると共に、前記側板間の上部前面には、前記前板の後面に当接する戸当たり桟が架設されており、かつ、前記幕板の上端縁は、該戸当たり桟に結合されていることを特徴とする。
【００１２】
そして、請求項５に記載の発明は、前記請求項１から請求項４のいずれか１項に記載のキッチンキャビネットにおいて、前記幕板と幕板取付部材とは、金属製の板材を折曲加工することにより一体に形成されていることを特徴とする。
【発明の効果】
【００１３】
まず、請求項１に記載の発明によれば、ワークトップのシンクの一方の側部とこの側部に対向する一方の側板との間に所定幅の空間が設けられたキッチンキャビネットにおいて、前記空間と反対側の端部が他方の側板に取り付けられてシンクの前方で左右に延びる幕板の前記空間側の端部に設けられた幕板取付部材を、幕板の端部からシンクの一方の側部に沿うように後方に延びる後方延設部と、この後方延設部の後部上端から前記空間の上部を横断して前記一方の側板方向に延びる横方向延設部とを有し、この横方向延設部の先端が前記一方の側板に取り付けられるように構成したので、前記横方向延設部は、幕板の下端より高い箇所に位置することになる。その結果、シンクの一方の側部とこの側部に対向する一方の側板との間の所定幅の空間を含む上下方向に細長い空間に対し、引き出しに収納された高さの高い物品の出し入れが可能となる。
【００１４】
そして、幕板と幕板取付部材とで構成される平面視屈曲構造により、例えば、高さの高い物品を収納可能に幕板の一方の側部を切除した構成に比べ、幕板の剛性は良好に維持される。したがって、正面からの荷重を受けても幕板の変形が回避され、特に側板間が広い場合に効果的である。なお、幕板の剛性が良好に維持されるため、輸送中においても幕板の形状を良好に維持することができる。
【００１５】
次に、請求項２に記載の発明によれば、幕板取付部材の横方向延設部は、ワークトップを支持する補強桟に結合されているので、この幕板取付部材の設置状態が一層安定すると共に、幕板の剛性向上に寄与する。
【００１６】
また、請求項３に記載の発明によれば、後方延設部は垂直面状に延設されているので、引き出しを前後方向にスライドさせるとき、この後方延設部により、引き出しに収納された高さの高い物品の側方を案内したり、引き出しを押し込んだ状態で収納された高さの高い物品の横方向への転倒を防止したりすることができる。
【００１７】
また、請求項４に記載の発明によれば、幕板の上端縁は戸当たり桟に結合されているので、幕板の架設状態が一層安定すると共に、幕板の剛性向上が図られる。
【００１８】
そして、請求項５に記載の発明によれば、幕板と幕板取付部材とは金属製の板材を折曲加工することにより一体に形成されているので、比較的簡便に幕板及び幕板取付部材で構成される部材を製作することができる。しかも、折曲加工前の板材を裏返して折曲加工することにより、容易に左右勝手を逆にすることができる。
【００１９】
また、幕板は金属製であるので、例えば木質製の場合に比較して、強度を維持しつつ厚みを薄くすることができる。したがって、シンクとの干渉を避けつつシンクの前面に近接して幕板を設置した場合、幕板と後方に押し込んだ引き出しの前板との間に、例えば、まな板のような厚みの薄い物品を収納可能な空間が形成されるようになる。
【発明を実施するための最良の形態】
【００２０】
以下、本発明の実施の形態に係るキッチンキャビネットとしてのシンク用キャビネットを備えたシステムキッチンについて説明する。
【００２１】
図１に示すように、このシステムキッチン１は、シンク用キャビネット２と調理台用キャビネット３とガスコンロ用キャビネット４とが並設された構成とされており、上方にワークトップ５が載置されている。このワークトップ５は、シンク用キャビネット２に対応してシンク５ａが設けられており、また、ガスコンロ用キャビネット４に対応してガスコンロ５ｂが設けられている。
【００２２】
図２に示すように、シンク用キャビネット２は、上方及び前方に開口する箱状のキャビネット本体１０と、このキャビネット本体１０に前後方向にスライド自在に支持された上下２段の引き出し２０とを備えている（図２には上段のみ図示、図１には２段とも図示）。
【００２３】
本体キャビネット１０は、左右の側板１１，１１と、側板１１，１１間の後部に架設された背板１２と、側板１１，１１間の下部に架設された底板１３とを有している。
【００２４】
図示する引き出し２０は、底板２１と、底板２１の左右両端部に立設された左右の側板２２，２２と、底板２１の前後両端部にそれぞれ立設された前板２３及び背板２４と、両側板２２，２２の上方で前板２３と背板２４との間に架設された左右のバー部材２５，２５とを備えている。その場合、各側板２２は、キャビネット本体１０の各側板１１内面に固定された図示しないレール部材に係合する同じく図示しないレール部材を内蔵している。
【００２５】
また、キャビネット本体１０の左右の側板１１，１１間の上部前面に、引き出し２０を押し込んだときに前板２３の後面に当接する戸当たり桟１４が架設されている。
【００２６】
また、キャビネット本体１０上に載置されたワークトップ５のシンク５ａの左側の側部とこの側部に対向する左側の側板１１との間に、所定幅の空間Ｓが設けられている。この空間Ｓは、幅が狭く、上下方向に細長い空間であり、上部にワークトップ５の下面を支持する前後方向に延びる補強桟５ｃが位置している。さらに、左右の側板１１，１１間の上部前面つまりシンク５ａの前方かつ戸当たり桟１４の概ね下方に、正面視でシンク５ａを隠す幕板３０が架設されている。
【００２７】
そして、引き出し２０の底板２１上の左側端部近傍には、左側の側板２２に近接して、２つの箱状容器４０，４０と台座５０に載置されたペーパーホルダー６０とが前後方向に一列に収納されている。ここでは詳述しないが、箱状容器４０，４０はバー部材２５に支持され、台座５０は側板２２に支持されている。なお、ペーパーホルダー６０は、ロール状のキッチンペーパーＰを保持するためのもので、高さが高く、前記空間Ｓに収納される。
【００２８】
次に、本発明の特徴部分である幕板３０について説明する。
【００２９】
幕板３０は、例えば鋼板のような金属製であり、図２〜５に示すように、この幕板３０は、シンク５ａの前方で左右に延びる面状の垂直部３１と、この垂直部３１の左側の端部からシンク５ａの左側の側部に沿うように後方に延びる垂直面状の後方延設部３２と、この後方延設部３２の後部上端から前記空間Ｓの上部を横断し、キャビネット本体１０の左側の側板１１方向に延びる水平面状の横方向延設部３３とを有している。その場合、垂直部３１は特許請求の範囲における幕板に対応し、後方延設部３２と横方向延設部３３とは同じく幕板取付部材に対応する。
【００３０】
また、垂直部３１の右側の端部に若干後方に延びる取付部３４が設けられており、この取付部３４の上下の端部にそれぞれ形成された切り欠き３４ａ，３４ａ（図３参照）を介してビスでキャビネット本体１０の右側の側板１１に取り付けられる。一方、横方向延設部３３の先端に下方に延びる取付部３５が設けられており、この取付部３５に形成された一対の丸穴３５ａ，３５ａ（図３に一方のみ図示）を介してビスＢ，Ｂでキャビネット本体１０の左側の側板１１に取り付けられる。
【００３１】
また、垂直部３１の上端に前方に延びる結合部３６が設けられており、この結合部３６に形成された複数の長穴３６ａ…３６ａ（図３参照）を介してビスＢ…Ｂでキャビネット本体１０の戸当たり桟１４に下方から結合される。一方、横方向延設部３３に複数の丸穴３３ａ…３３ａ（図３参照）が形成されており、横方向延設部３３は、これらの丸穴３３ａ…３３ａを介してビスＢ…Ｂでワークトップ５の下面の補強桟５ｃに結合される。
【００３２】
また、垂直部３１の下端に後方に延びる補強部３７が設けられており、垂直部３１の剛性維持が図られる。さらに、後方延設部３２の後端に右方に延びる補強部３８が設けられており、後方延設部３２の剛性維持が図られる。
【００３３】
そして、図５に示すように、幕板３０に、木質製のものに比べて強度に優れ、厚みの薄い金属製のものを使用し、この幕板３０を、垂直部３１の上端から前方に延設された結合部３６を介して戸当たり桟１４の下端に結合することから、戸当たり桟１４の下方で、前方の引き出し２０の前板２３と後方の幕板３０の垂直部３１との間に、厚みが薄いものの空間Ｓ′が形成される。図例では、この空間Ｓ′は、まな板Ｙの収納に利用されている。
【００３４】
ここで、幕板３０の製作方法について説明する。
【００３５】
図６に示す形状の一枚の鋼板のような金属製の幕板素材３０′は、図３に示した幕板３０に形成されたときに垂直部３１と後方延設部３２と横方向延設部３３と２つの取付部３４，３５と結合部３６と２つの補強部３７，３８とを構成可能に、垂直部用部分３１′と後方延設部用部分３２′と横方向延設部用部分３３′と２つの取付部用部分３４′，３５′と結合部用部分３６′と２つの補強部用部分３７′，３８′と有すると共に、所定の箇所に切り欠き３４ａ′，３４ａ′と丸穴３３ａ′…３３ａ′，３５ａ′，３５ａ′と長穴３６ａ′…３６ａ′とが設けられている。そして、一点鎖線で示す箇所で折曲加工することにより、図３に示した形状の幕板３０が得られることになる。
【００３６】
以上のように構成したことにより、まず、ワークトップ５のシンク５ａの一方の側部とこの側部に対向する一方の側板１１との間に所定幅の空間Ｓが設けられたシンク用キャビネット２において、前記空間Ｓと反対側の取付部３４が他方の側板１１に取り付けられてシンク５ａの前方で左右に延びる幕板３０の本体部分である垂直部３１の、前記空間Ｓ側の端部に設けられた幕板取付部材に相当する部分を、垂直部３１の端部からシンク５ａの一方の側部に沿うように後方に延びる後方延設部３２と、この後方延設部３２の後部上端から前記空間Ｓの上部を横断して前記一方の側板１１方向に延びる横方向延設部３３とを有し、この横方向延設部３３の先端の取付部３５が前記一方の側板１１に取り付けられるように構成したので、前記横方向延設部３３は、垂直部３１の下端より高い箇所に位置することになる。その結果、図４に示したように、シンク５ａの一方の側部とこの側部に対向する一方の側板１１との間の所定幅の空間Ｓを含む上下方向に細長い空間に対し、引き出し２０に収納された例えばペーパーホルダー６０のような高さの高い物品の出し入れが可能となる。
【００３７】
そして、垂直部３１と後方延設部３２と横方向延設部３３とで構成される平面視屈曲構造により、例えば、高さの高い物品を収納可能に幕板の一方の側部を切除した構成に比べ、垂直部３１の剛性は良好に維持される。したがって、正面からの荷重を受けても垂直部３１の変形が回避され、特に側板１１，１１間が広い場合に効果的である。なお、垂直部３１ひいては幕板３０の剛性が良好に維持されるため、輸送中においても垂直部３１ないし幕板３０の形状を良好に維持することができる。
【００３８】
次に、幕板取付部材を構成する横方向延設部３２は、ワークトップ５を支持する補強桟５ｃに結合されているので、後方延設部３２と横方向延設部３３とで構成される幕板取付部材の設置状態が一層安定すると共に、幕板３０を構成する垂直部３１の剛性向上に寄与する。
【００３９】
また、後方延設部３２は垂直面状に延設されているので、引き出し２０を前後方向にスライドさせるとき、図２、４からわかるように、この後方延設部３２により、収納された例えばペーパーホルダー６０のような高さの高い物品の側方を案内したり、引き出し２０を押し込んだ状態で収納された高さの高い物品の横方向への転倒を防止したりすることができる。
【００４０】
また、幕板３０を構成する垂直部３１の上端に設けられた結合部３６は戸当たり桟１４に結合されているので、垂直部３１の架設状態が一層安定すると共に、垂直部３１の剛性向上が図られる。
【００４１】
そして、幕板３０は金属製の板状の幕板素材３０′を折曲加工することにより一体に形成されているので、比較的簡便に幕板３０を製作することができる。しかも、折曲加工前の幕板素材３０′を裏返して折曲加工することにより、容易に左右勝手を逆にすることができる。
【００４２】
また、幕板３０は金属製であるので、例えば木質製の場合に比較して、強度を維持しつつ厚みを薄くすることができる。したがって、図５に示したように、シンク５ａとの干渉を避けつつシンク５ａの前面に近接して幕板３０を構成する垂直部３１を設置した場合、垂直部３１と後方に押し込んだ引き出し２０の前板２３との間に、まな板Ｙのような厚みの薄い物品を収納可能な空間Ｓ′が形成されるようになる。
【００４３】
なお、本発明は、具体的に詳述した前記実施の形態に限定されない。
【００４４】
例えば、前記実施の形態では、一体成形された幕板３０を使用したが、垂直部３１と、後方延設部３２及び横方向延設部３３で構成される部分とを別体としてもよい。
【産業上の利用可能性】
【００４５】
以上説明したように、本発明によれば、シンクを有すると共に左右の側板間のシンク前方に幕板が架設されたキッチンキャビネットにおいて、下方に突出するシンクの一方の側部とこの側部に対向する一方の側板との間の所定幅の空間を含む上下方向に細長い空間に対し、引き出しに収納された高さの高い物品の出し入れを可能にしつつ幕板の剛性を良好に維持することができ、本発明は、家具の技術分野に広く利用される可能性がある。
【図面の簡単な説明】
【００４６】
【図１】本発明の実施の形態に係るシステムキッチンの斜視図である。
【図２】シンク以外のワークトップの記載を省略したシンク用キャビネットの斜視図である。
【図３】幕板単体の斜視図である。
【図４】引き出しをキャビネット本体に押し込んだ状態における要部正面図であり、シンク以外のワークトップ及び引き出しの前板の記載を省略している。
【図５】図４のＩ−Ｉ線による断面図である。
【図６】幕板素材の平面図である。
【符号の説明】
【００４７】
２        シンク用キャビネット（キッチンキャビネット）
５        ワークトップ
５ａ      シンク
５ｃ      補強桟
１１      側板
１４      戸当たり桟
２０      引き出し
３０      幕板
３０′    幕板素材（金属製の板材）
３１      垂直部（幕板）
３２      後方延設部（幕板取付部材）
３３      横方向延設部（幕板取付部材）
Ｓ        空間（所定幅の空間）
【図１】
2010154990.tif 000003
【図２】
2010154990.tif 000004
【図３】
2010154990.tif 000005
【図４】
2010154990.tif 000006
【図５】
2010154990.tif 000007
【図６】
2010154990.tif 000008